(57)【特許請求の範囲】
【請求項１】
クリンチ式のファスナー装置であって、
このファスナー装置の中心垂直軸線に対して略直交する底面を有しており且つテーパー形状による戻り止め締め付けに用いる円錐台形状のヘッドであって、下向きに収斂する単一テーパー形状の外周側面を有する円錐台形で画定された円錐台状ヘッド、
このファスナー装置を取り付ける部材の嵌め込みに適合するアンダーカットであって、前記円錐台状ヘッドの真下に設けられた前記アンダーカット、および
このファスナー装置の底部になる軸部であって、前記アンダーカットの真下に設けられた前記軸部が在って、
前記円錐台状ヘッドと前記アンダーカットと前記軸部とが、上から下にかけて配列されていることを特徴とするクリンチ式ファスナー装置。
【請求項２】
前記ヘッドが平面状の上面を有し、この上面が前記底面に対して実質的に平行である請求項１に記載のファスナー装置。
【請求項３】
横方向横断面が全ての点において円形で、前記軸線に関して対称である請求項２に記載のファスナー装置。
【請求項４】
前記軸部の遠位端がテーパー状になっている請求項１に記載のファスナー装置。
【請求項５】
前記軸部がバレル状である請求項４に記載のファスナー装置。
【請求項６】
下向きに収斂するテーパー形状の上部穴を均一直径の下部穴に続けて繋げる構造で２つの同心円を複合して設ける第１の穴が予め備えられた第１パネル、および、
この第１パネルに対接する位置に設けた第２パネルであって、前記第１の穴の前記下部穴に整列する円形の第２の穴を有する前記第２パネルが在って、
テーパー形状による戻り止め締め付けに用いる円錐台形状のヘッドによって、前記第１パネルを変形させることなく前記第１の穴の前記テーパー形状の部分内に摩擦嵌合することのみで前記第１パネルに強固に接合し且つ前記第１パネルと前記第２パネルとを接合する前記円錐台形状のヘッドを備えたクリンチ式ファスナー装置を有することを特徴とするパネル体。
【請求項７】
前記ファスナー装置のヘッドの上面が、前記第１パネルの上面と同じ高さである請求項６に記載のパネル体。
【請求項８】
前記ファスナー装置が、前記第２パネルから金属の冷間流れを受け取るアンダーカットを有する請求項７に記載のパネル体。
【請求項９】
両パネルが金属製である請求項６に記載のパネル体。
【請求項１０】
前記ファスナー装置のヘッドが、かじり作用によって前記第１パネルに接合した請求項６に記載のパネル体。
【請求項１１】
前記ファスナー装置および前記第１パネルがステンレス鋼製である請求項１０に記載のパネル体。
【請求項１２】
下向きに収斂するテーパー形状の上部穴を均一直径の下部穴に続けて繋げる構造で２つの同心円を複合して設ける円形穴が備えられた第１パネルが在って、
前記第１パネルを変形させることなく前記円形穴の前記テーパー形状の上部穴内に摩擦嵌合することのみで前記第１パネルに強固に接合し且つ下向きに収斂する形状の円錐台形状のヘッドを備えたクリンチ式ファスナー装置を有することを特徴とするパネル体。
【請求項１３】
前記ヘッドの外面が連続面である請求項１に記載のファスナー装置。
【請求項１４】
前記ファスナー装置が、前記ヘッドの真下に設けられたアンダーカットを有する請求項６に記載のパネル体。
【請求項１５】
前記ファスナー装置のヘッドが、前記第１パネルの下方に延在し、前記第２パネルの材料を前記アンダーカットに変位させるようになった底面を有する請求項１４に記載のパネル体。
【発明の詳細な説明】
【関連出願】
【０００１】
本出願は、２０１６年７月２８日を出願日とし、“テーパーヘッドをもつタックピン”を発明の名称とする米国仮特許出願第６２/１９７，８５０号の優先権を主張する出願である。
【技術分野】
【０００２】
本発明は、金属パネルを直接接続するファスナー装置に関する。
【背景技術】
【０００３】
第１パネルの開口に延在するファスナー装置を使用して第１パネルと第２パネルとを接続するためには、通常、このファスナー装置は第１パネルに当接するか、あるいは取り付けられるヘッドを備える必要がある。一部の構成の場合、ファスナー装置のヘッドは高さが第１パネルと同じか、あるいは低い。この構成では、通常、ファスナーヘッドが十分柔らかいため、パネルに埋設し、高さが同じになる。ところが、第１パネルがきわめて硬い材料からなる場合にはこの選択肢は取ることができない。従って、上下のパネルを接合し、上部パネルの高さに一致するファスナー装置が望まれている。また、きわめて硬い材料からなるパネルに同じ高さで装着できるフラッシュマウント式ファスナー装置も求められている。
【０００４】
かじり（ｇａｌｌｉｎｇ）は、装着が摩擦と接着の結果である滑り面間の摩耗の一つの形態である。滑り面を圧縮する大きな力が存在すると、両面からの材料が接触面で引っ張られるためかじりが発生する。かじりの原因は、両面間の摩擦と接着であり、その後のパネル材料の結晶構造の引裂である。従って、係合する金属パネル体であって、パネル材料組成および装着法について、かじりを一時的な、あるいは二次的な装着機構として利用できるように特定的に選択した金属パネル体を実現することも望まれている。
【発明の概要】
【０００５】
板金打ち抜き（パンチング、ｐｕｎｃｈｉｎｇ）時、シートをダイ（ｄｉｅ）に支持する。このダイはパンチよりもわずかに大きな開口を有しているため、パンチおよびスラグが通り抜けるクリアランスが生じる。開口の打ち抜き時に、ダイの一部が引き裂かれ、シートの反対側にある支持ダイの直径が大きくなる。この状態を図２に示す。図示のように、ファスナーとの一体化が容易になる。この結果として、開口の一部がダイの方向に末広化（半径方向に膨張）する。
【０００６】
本発明の好適な実施態様は、上下のパネルを装着し、一旦装着した後は、上部パネルと高さが同じになるクリンチ式ファスナー装置を提供するものである。本発明の別な好適な実施態様は、硬い材料からなる第１パネルをアルミなどの比較的柔らかい材料からなる第２パネルに同じ高さで装着するクリンチ式ファスナー装置を提供するものである。このファスナー装置のテーパーヘッドは、打ち抜きシートの上記テーパー開口に摩擦係合する。ダイ側部を上にした状態で打ち抜きシートを回転し、テーパー開口のダイ側にファスナー装置を装着することによって、ファスナー装置のヘッドがパネル上部と同じ高さにある状態で、摩擦装着を実現できる。同じプレス工程時に、柔らかい材料の第２パネルを第１パネルの後ろ側の下で、これに対して設けると、ファスナー装置の軸に作用する締め付け作用が第２パネルに加わり、２枚のシートを直接装着できる。テーパーヘッドを上部パネルに装着すると、異なる２つの装着現象、即ち締め付けテーパーおよび、材料の選択にもよるが、かじりを利用できる。
【０００７】
本発明の一つの好適な実施態様は、クリンチ式ファスナー装置であって、上から下にかけて、このファスナー装置の中心垂直軸線に対して実質的に垂直な底面を有する円錐台状ヘッド、このヘッドの真下に設けられたアンダーカット（切り欠き）、およびこのアンダーカットの真下に設けられたファスナー装置底面の軸部を有するクリンチ式ファスナー装置を提供するものである。ファスナー装置のヘッドについては、底面に対して実質的に平行な平面状の上面を有するのが好ましく、またファスナー装置の横方向の横断面については、円形で垂直軸線に関して対称であることが好ましい。ファスナー装置の軸部については、バレル形で、遠位底部端部をテーパー化できる。
【０００８】
本発明の別な好適な実施態様は、第１の上部パネルおよび第２の底部パネルを有するパネル体を提供するものである。第１の上部パネルは、２つの同心円部分、即ち直径が同一の連続的な下部部分との接続部に対して下向きに収斂する上部テーパー部分を備えた第１の複合的な円形開口を有する。第２の底部パネルは第１パネルに対して直接装着し、第１開口の下部部分に整合する第２円形開口を有する。円錐台状のヘッドをもつクリンチ式ファスナー装置が第１パネルと第２パネルとを接合する。ファスナー装置のヘッドについては、第１パネルの上面と高さが同じで、かじりによって第１上部パネルに接合するのが好ましい。ファスナー装置は、さらに、下部パネルからの金属の冷間流れを受け取るアンダーカットを有する。一つの実施態様では、ファスナー装置および上部パネルはステンレス鋼製である。
【０００９】
さらに本発明の別な実施態様は、かじりを一次的な、あるいは二次的な取り付けまたは装着機構として利用できるように、パネル材料組成および取り付け方法を特定的に選択した係合金属パネルからなるパネル体を提供するものである。この実施態様では、パネル体は本発明のコネクタを使用し、締め付けテーパーおよび／またはかじりの装着現象を利用して、金属パネルを直接接合する。
【００１０】
以上の、およびその他の目的および作用効果については、好適な実施態様を示す添付図面およびその説明から明らかになるはずである。以下、本発明のいくつかの実施態様を説明するが、本発明はその用途において、以下に説明し、かつ添付図面に示す細部に限定されるものではない。これら以外の実施態様も可能であり、各種の態様で本発明は実施可能である。
【図面の簡単な説明】
【００１１】
【図１】本発明の好適な実施態様によるファスナー装置を示す底面正面斜視図である。
【図２】パンチ、ダイおよび金属パネルを示す断面図であり、本発明の別な実施態様によるパネル体の金属パネルの打ち抜き開口の形状を示す。
【図３】２枚の金属パネルを接続する図１のファスナー装置を示す拡大断面図である。
【図４Ａ】装着時の図１のファスナー装置の締め付けテーパー力を示す拡大正面図である。
【図４Ｂ】装着時の図１のファスナー装置の締め付けテーパー力を示す拡大正面図である。
【図５Ａ】本発明のさらに別な実施態様による２枚の金属パネルを締め付ける方法およびパネル体を示す一連の拡大断面図である。
【図５Ｂ】本発明のさらに別な実施態様による２枚の金属パネルを締め付ける方法およびパネル体を示す一連の拡大断面図である。
【図５Ｃ】本発明のさらに別な実施態様による２枚の金属パネルを締め付ける方法およびパネル体を示す一連の拡大断面図である。
【図５Ｄ】本発明のさらに別な実施態様による２枚の金属パネルを締め付ける方法およびパネル体を示す一連の拡大断面図である。
【発明を実施するための形態】
【００１２】
本発明の好適な実施態様によるファスナー装置を図１に示す。参照符号は１０である。この実施態様の場合、ファスナー装置１０はクリンチ式ファスナー装置であり、テーパー化した円錐台状ヘッド１１を有し、このヘッド１１は底面１５、アンダーカット１３およびバレル状軸部１７を有する。底面１５は、受け取りパネル（下部パネル）３４の材料のディスプレーサとして機能する。アンダーカット１３は、底面１５から延在し、下部パネル３４の押し退けられた材料を受け取る。バレル状軸部１７は、ファスナー装置を金属パネルの受け取り開口に案内するテーパー化遠位端部を有する。底部ディスプレーサ面１５の向きは、中心垂直軸線Ａに対して実質的に垂直である。
【００１３】
図２は、ファスナー装置１０を挿入した金属パネル２４に受け取り開口を形成するパンチ２０およびダイ２２を示す図である。パンチ２０は一般に望みのサイズに合わせて設け、ダイについては、パンチ２０およびスラグが通過できるクリアランス開口２５を設ける必要がある。打ち抜き後のパネル２４の開口形状は、上部の真っ直ぐな壁部分２３、およびこの上部よりも大きな直径２６をもつ下部のテーパー化折り畳み部分２６を有する。図２に示すパネルの向きに関して上部部分および下部部分と記述するが、図３および図５の場合、図示のパネルは（図２と比較して）反転し、真っ直ぐな壁部は開口の下部にあり、そしてテーパー部分は開口の上部にある。
【００１４】
図３に、上記ファスナー装置１０を使用して接続し、かつ本発明の装着方法に従って装着した２枚のパネル３２、３４の拡大断面を示す。この実施態様では、ファスナー装置１０のヘッド１１は、全体として上部パネル３２の開口形状に対して補完的な形状を有する。また、ファスナー装置１０のヘッド１１の寸法については、上部パネル３２の上面３０と同じ高さで装着されるようになっている。このテーパーヘッド１１によって、上部パネル３２をファスナー装置１０に対して上向き方向に取り付ける機械的能力を維持する。図３に示すパネル体では、底部パネル３４はファスナー装置１０よりも柔らかい材料から構成しているため、クリンチ式アンダーカット１３を使用することが可能になる。ディスプレーサ面１５が金属を下部パネル３４から軸部の真上に位置するアンダーカット１３に押し込むため、ファスナー装置１０を下部パネル３４に保持できる。好適な実施態様の場合、上部パネル３２の硬度はファスナー装置１０とほぼ同じである。
【００１５】
ファスナー装置１０の締め付けテーパー作用を図４Ａおよび図４Ｂに示す。図４Ａおよび図４Ｂには、図１および図３に示したファスナー装置１０の装着および静止状態を示す。即ち、図４Ａおよび図４Ｂは、戻り止めに必要な最小テーパー作用を決定するために必要な力およびスキーム（方式/機構）を図示するものである。均一に分配されるテーパーＦｎの垂直力を円錐断面Ｄｍの中線においてモデル化する。全く単純なことであるが、テーパーの締め付け作用によって、摩擦力の垂直成分が正常力の垂直成分以上になった時に、かつ装着力が取り除かれ、ゼロになった時にファスナー装置のテーパー部分が上部パネルに保持されることになる。摩擦力は、ファスナー装置が押されている方向とは逆の方向に作用する。装着力が取り除かれた時に、正常力の垂直成分が作用し、上部パネルからファスナー装置を押し出す。このさい、摩擦力によってファスナー装置を逆方向の所定位置に保持する。
【００１６】
静止状態を示す図４Ａおよび図４Ｂについて説明すると、テーパーコネクタＦｅを取り外すために必要な理論的な力は、以下のように計算することができる。
Ｙ方向の力の合計については、次式が成立する。
0006803383.tif 000002
ここで、摩擦係数μ＝ｔａｎ（ψ）（ただしψは間接的な滑り角度である）が成立する。
0006803383.tif 000003
締め付け状態では、Ｆｅ＝０が成立する。従って、
ψ−α/２＝０
α＝２ψ
α＝２＊ａｒｃｔａｎ（μ）
が成立する。
締め付け角度については、摩擦係数を用いると、次のように定義できる。
0006803383.tif 000004
α＝２＊ａｒｃｔａｎ（．０６）
従って、α＝６．８７°が成立する。
この締め付けテーパー力Ｆｅについては、潤滑油処理した０．０６金属/金属の保存的な摩擦係数を使用して計算した。
【００１７】
別な好適な実施態様では、締め付けテーパー力Ｆｅ、テーパー開口の寸法およびテーパーヘッドの寸法について、係合シート間のもう一つの締め付け貢献要因である締め付け機構である“かじり”を考慮することによって計算する。このかじりは、滑り面間の摩耗の一形態である。図１〜図５に示すファスナー装置およびパネル体の場合、滑り面は、ファスナー装置のテーパーヘッド１１とより硬いパネル２４の打ち抜き開口との界面である。滑り面を圧縮する大きな力が存在すると、両面からの材料が接触面で引っ張られている間にかじりが発生する。かじりの原因は、両面間の摩擦と接着であり、その後のパネル材料の結晶構造の引裂である。かじり面により係合面に材料が付着するため、摩擦または冷間溶接が有効に発生する。かじり傾向が強い通常の材料はチタン、ステンレス鋼およびアルミである。
【００１８】
図５Ａ〜図５Ｄに、本発明の一つの好適な実施態様による２枚の係合パネルからなるパネル体およびパネル装着方法を示す。図５Ａについて説明すると、テーパー面の適正整合状態で、図示の向きで上部パネル３２の開口内にファスナー装置１０をまず設定する。次に、図２に示すように、底部パネル３４をアンビル５４によって支持した状態で、プレス金型５３によってファスナー装置１０を開口のテーパー側から上部パネル３２に押し込む。次に、図５Ｃおよび図５Ｄに示すように、十分な力でプレス金型５３によってファスナー装置１０をアンビル５４に押し付けると、両パネルからの材料がわずかに流れ出し、両パネル間に均一な境界を形成し、ファスナー装置１０とパネル３２、３４との間に高圧力できわめてタイトな嵌合を作り出す。この構成では、ファスナー装置１０は、装着方法とは逆の方向にのみ取り外すことができる。さらに、ファスナー装置のテーパーヘッド１１は、上記の締め付けテーパー力および／またはかじりによって上部パネル３２に締め付けられる。
【００１９】
図５Ａに、打ち抜き開口の形状を示す。図示のように、この開口は真っ直ぐな壁部をもつ第１部分および円錐形で上向きになっている第２部分を有する。ファスナー装置の装着が進む間に、ファスナー装置と硬い上部パネルとの間の界面が共通の形状にどのように一体化するかを図５Ｂおよび図５Ｃに示す。圧力によって、上部パネルがわずかに流れ、完全な円錐形になり、ファスナー装置１０に完全に係合する。テーパーヘッドをもつ、締め付けファスナー装置は係合するテーパー面間に強い力を作用させるだけでなく、装着時に強い摩擦を作用させる。本発明の一つの例示的な実施態様では、ステンレス鋼製ファスナー装置を硬いステンレス鋼製上部パネルにプレス嵌めすると、かじりが発生し、ファスナー装置の保持に寄与する。同じことは、かじり傾向のある金属の組み合わせについてもいえる。図５Ｄに、完全に装着されたファスナー装置が柔らかい底部パネル５４に締め付けられ、２枚のパネルを取り付けることができたことを示す。
【００２０】
以上は、本発明の原理および考えられる実施態様を例示したものに過ぎない。当業者にとっては、多数の一部改変や変更は自明と考えられるため、本発明を図示し、かつ説明してきた構成および動作/作用に限定することは望ましくない。即ち、好適な一部変更および等価物については、いずれも特許請求の範囲に記載された態様や等価な態様によってのみ特定される発明の範囲に包含されるものである。
【符号の説明】
【００２１】
１０：ファスナー装置
１１：円錐台状ヘッド、テーパーヘッド、ヘッド
１３：クリンチ式アンダーカット、アンダーカット
１５：底部ディスプレーサ面、ディスプレーサ面、底面
１７：バレル状軸部
２０：パンチ
２２：ダイ
２３：壁部分
２４：金属パネル、パネル
２５：クリアランス開口
２６：直径、テーパー化折り畳み部分
３０：上面
３２：上部パネル、パネル
３４：受け取りパネル（下部パネル）、下部パネル、底部パネル、パネル
５３：プレス金型
５４：アンビル、底部パネル
Ａ：中心垂直軸線
Ｄｍ：円錐断面
Ｆｅ：テーパーコネクタ、締め付けテーパー力
Ｆｎ：テーパー
【図１】
0006803383.tif 000005
【図２】
0006803383.tif 000006
【図３】
0006803383.tif 000007
【図４Ａ】
0006803383.tif 000008
【図４Ｂ】
0006803383.tif 000009
【図５Ａ】
0006803383.tif 000010
【図５Ｂ】
0006803383.tif 000011
【図５Ｃ】
0006803383.tif 000012
【図５Ｄ】
0006803383.tif 000013